(57)【要約】【課題】第２受け部材８２を、第１受け部材８１から引き出した際に前側が持ち上げられた構成としつつ、第１受け部材８１に押し入れた際に第１受け部材８１に対して正確に位置決めできる排紙トレイ２１を提供する。【解決手段】排紙トレイ２１は、第１受け部材８１と、第１受け部材８１に対して引き出し及び押し入れ可能な第２受け部材８２とを備える。第１受け部材８１は、前側に設けられた第１突起部８３と前後方向８に延びた第１案内部８４とを有する。第２受け部材８２は、第１案内部８４に案内される第２突起部８５と前後方向８に延びており第１突起部８３を案内する第２案内部８６とを有する。第１案内部８４は、第１受け部材８１から引き出された第２受け部材８２の前側が後側よりも上側となるように、第２突起部８５を案内する上昇案内部９３を有する。第２案内部８６は、第１突起部８３と当接するリブ４５Ａ、４６Ａ、４７を有する。【選択図】図６
2014069945.tif 000002
【特許請求の範囲】
【請求項１】
装置から排出されるシートを支持する第１受け部材と、
上記第１受け部材に対してシートの排出向きに沿う向きに引き出し及び押し入れ可能であり、上記第１受け部材から引き出された状態で上記第１受け部材とともにシートを支持する第２受け部材と、を備え、
上記第１受け部材は、引き出し向きの下流側に設けられた第１突起部と、上記引き出し向きに沿って延びた第１案内部と、を有し、
上記第２受け部材は、上記第１案内部に案内される第２突起部と、上記引き出し向きに沿って延びており上記第１突起部を案内する第２案内部と、を有し、
上記第１案内部または上記第２案内部の少なくとも一方は、上記第１受け部材から引き出された上記第２受け部材の上記引き出し向きの下流側が上記引き出し向きの上流側よりも上側となるように、上記第１突起部または上記第２突起部の少なくとも一方を上記引き出し向きに案内する上昇案内部を有し、
上記第２案内部は、上記引き出し向きの下流側に、上記第１突起部と当接する当接部を有するシート受け装置。
【請求項２】
上記第２突起部は、上記第１受け部材に対して上記第２受け部材が押し入れられた状態において、上記第１突起部よりも上記引き出し向きの上流側に設けられている請求項１に記載のシート受け装置。
【請求項３】
上記上昇案内部は、上記第１案内部に設けられたものであり、上記第１案内部における上記引き出し向きの下流側が上流側よりも下側且つ当該下流側が上記第１突起部の上端よりも下側となるように傾斜した下傾斜部を有する請求項１または２に記載のシート受け装置。
【請求項４】
上記第１突起部は、上記下傾斜部よりも上記引き出し向き下流側に設けられている請求項３に記載のシート受け装置。
【請求項５】
上記下傾斜部の上記引き出し向きの下流側は、上記第２突起部と当接することで弾性変形する請求項３または４に記載のシート受け装置。
【請求項６】
上記下傾斜部は、上記引き出し向きの下流側端部に、上記引き出し向きの下流側が上流側よりも上側となるように傾斜する上傾斜部を有する請求項５に記載のシート受け装置。
【請求項７】
上記第１案内部は、上記第２突起部が挿入可能な幅を有する溝形状であり、上記引き出し向きの下流側端及び上流側端に、当該下流側端及び上流側端以外の部分よりも幅が狭い幅狭部を有する請求項１から６のいずれかに記載のシート受け装置。
【請求項８】
上記当接部は、上記第１突起部の上記引き出し向き下流側にて当該第１突起部と当接する第１面と、上記第１突起部の上下方向のうち少なくとも一方の向きから当接する第２面と、を有する請求項１から７のいずれかに記載のシート受け装置。
【請求項９】
上記第１突起部は、円柱形状であり、上記第２案内部と当接される被案内面が円柱の周面である請求項１から８のいずれかに記載のシート受け装置。
【請求項１０】
上記第１突起部は、上記引き出し向きの下流側の面が平面であり、上記第２案内部と当接される被案内面が曲面である請求項１から８のいずれかに記載のシート受け装置。
【請求項１１】
上記第２突起部は、円柱形状であり、上記第１案内部と当接される被案内面が円柱の周面である請求項１から１０のいずれかに記載のシート受け装置。
【請求項１２】
上記第２受け部材は、上記引き出し向きと直交する幅方向の両端縁に設けられた２つの上記第２突起部と、上記両端縁に設けられた２つの上記第２案内部と、を有し、
上記第１受け部材は、２つの上記第２案内部に対応した２つの上記第１突起部と、２つの上記第２突起部に対応した２つの上記第１案内部と、を有する請求項１から１１のいずれかに記載のシート受け装置。
【請求項１３】
上記第２受け部材は、上記幅方向における２つの上記第２突起部及び上記第２案内部よりも内側に、上記第１受け部材に押し入れられた状態で当該第１受け部材と係合する係合部を有する請求項１２に記載のシート受け装置。
【請求項１４】
上記第１案内部は、上記第２突起部が摺動可能な溝形状であり、
上記第２突起部は、上記第１案内部に嵌りこんでいる請求項１から１３のいずれかに記載のシート受け装置。
【請求項１５】
上記第２案内部は、上記第１突起部が摺動可能な溝形状であり、
上記第１突起部は、上記第２案内部に嵌りこんでいる請求項１から１４のいずれかに記載のシート受け装置。
【請求項１６】
上記第１受け部材は、シートを支持する第１支持部と、当該第１支持部に交差する方向に延びる第１壁部と、を有し、
上記第１案内部と上記第１突起部とは、上記第１壁部に設けられ、上記第１突起部は、上記第１案内部よりも上記引き出し向き下流側に設けられている請求項１から１５のいずれかに記載のシート受け装置。
【請求項１７】
上記第２受け部材は、シートを支持する第２支持部と、当該第２支持部に交差する方向に延びる第２壁部と、を有し、
上記第２案内部と上記第２突起部とは、上記第２壁部に設けられ、上記第２突起部は、上記第２案内部よりも上記引き出し向き上流側に設けられている請求項１から１６のいずれかに記載のシート受け装置。
【請求項１８】
上記第２受け部材は、上記引き出し向きの下流側端部に、当該第２受け部材に対して起立する起立姿勢と当該第２受け部材に対して倒伏する倒伏姿勢とに回動する起立部材を有し、
上記起立部材は、上記倒伏姿勢において第１位置と当該第１位置よりも上記引き出し向き下流側の第２位置とに移動可能であり、上記第２位置において回動可能である請求項１から１７のいずれかに記載のシート受け装置。
【請求項１９】
上記起立部材は、上記第２位置において、その重心が当該起立部材の回動軸よりも上記引き出し向きの下流側に位置する請求項１８に記載のシート受け装置。
【請求項２０】
上記起立部材は、引き出し向き下流側端部に、ユーザに把持される把持部を有する請求項１８または１９に記載のシート受け装置。
【発明の詳細な説明】
【技術分野】
【０００１】
本発明は、装置から排出されたシートを受けるシート受け装置に関する。
【背景技術】
【０００２】
プリンタなどの画像記録装置からは、記録用紙などのシートが排出される。そのため、画像記録装置は、通常、排出されたシートを受けるシート受け装置を備えている。
【０００３】
近年、画像記録装置の小型化が求められている一方で、大きなサイズの記録用紙が画像記録装置によって画像記録されることが求められている。この相反する要望を解決するために、シート受け装置の一例として、特許文献１には、排出された記録用紙を支持可能な支持面が設けられた第１のスタック部材と、第１のスタック部材から引き出し可能であり、記録用紙を支持可能な支持面が設けられた第２のスタック部材とを備えた被記録媒体スタッカーが開示されている。当該被記録媒体スタッカーにおいては、第１のスタック部材と第２のスタック部材との支持面によって、大きなサイズの記録用紙が支持される。
【０００４】
また、当該被記録媒体スタッカーは、第２のスタック部材に設けられた２つの突起部（基端側軸状突起部及び先端側軸状突起部）と、第１のスタック部材に設けられており当該２つの突起部が摺動されるガイドレールとを備えている。そして、第２のスタック部材が第１のスタック部材から引き出された状態において、先端側軸状突起部が基端側軸状突起部よりも上側に位置するように、ガイドレールが構成されている。これにより、第２のスタック部材が第１のスタック部材から引き出された状態において、第２のスタック部材は、その先端部が持ち上げられる。そのため、排出された記録用紙は第２のスタック部材の支持面から落ちにくくなっている。
【先行技術文献】
【特許文献】
【０００５】
【特許文献１】特開２０１１−２４１０５７号公報
【発明の概要】
【発明が解決しようとする課題】
【０００６】
しかしながら、特許文献１に開示された被記録媒体スタッカーでは、第２のスタック部材が第１のスタック部材に押し入れられた状態において、第２のスタック部材に設けられた２つの突起部は、第１のスタック部材の奥側まで押し入れられた状態となる。そのため、第２のスタック部材が第１のスタック部材に押し入れられた状態において、第２のスタック部材は、第１のスタック部材の手前側において、第１のスタック部材に対して正確に位置決めできない。
【０００７】
本発明は、上記問題に鑑みてなされたものであり、その目的は、シートを支持可能な第１受け部材に対して引き出し及び押し入れ可能な第２受け部材を、第１受け部材から引き出した際に引き出し向きの下流側が持ち上げられた構成としつつ、当該第２受け部材を、第１受け部材に押し入れた際に第１受け部材に対して正確に位置決めすることができるシート受け装置を提供することにある。
【課題を解決するための手段】
【０００８】
(1)  本発明に係るシート受け装置は、装置から排出されるシートを支持する第１受け部材と、上記第１受け部材に対してシートの排出向きに沿う向きに引き出し及び押し入れ可能であり、上記第１受け部材から引き出された状態で上記第１受け部材とともにシートを支持する第２受け部材と、を備える。上記第１受け部材は、引き出し向きの下流側に設けられた第１突起部と、上記引き出し向きに沿って延びた第１案内部と、を有する。上記第２受け部材は、上記第１案内部に案内される第２突起部と、上記引き出し向きに沿って延びており上記第１突起部を案内する第２案内部と、を有する。上記第１案内部または上記第２案内部の少なくとも一方は、上記第１受け部材から引き出された上記第２受け部材の上記引き出し向きの下流側が上記引き出し向きの上流側よりも上側となるように、上記第１突起部または上記第２突起部の少なくとも一方を上記引き出し向きに案内する上昇案内部を有する。上記第２案内部は、上記引き出し向きの下流側に、上記第１突起部と当接する当接部を有する。
【０００９】
本構成によれば、シート受け装置は上昇案内部を備えているため、第１受け部材から引き出された第２受け部材を、引き出し向きの下流側が持ち上げられた状態とすることができる。また、本構成によれば、第１突起部が引き出し向きの下流側に設けられているため、第２受け部材が第１受け部材に押し入れられて、当接部と第１突起部とが当接した際に、第１受け部材の引き出し向きの下流側において、第２受け部材を第１受け部材に対して正確に位置決めすることができる。
【００１０】
(2)  上記第２突起部は、上記第１受け部材に対して上記第２受け部材が押し入れられた状態において、上記第１突起部よりも上記引き出し向きの上流側に設けられている。本構成によれば、第２受け部材が第１受け部材に押し入れられた際に、第１受け部材の引き出し向きの下流側及び上流側の２箇所において、第２受け部材を第１受け部材に対して正確に位置決めすることができる。
【００１１】
(3)  上記上昇案内部は、上記第１案内部に設けられたものであり、上記第１案内部における上記引き出し向きの下流側が上流側よりも下側且つ当該下流側が上記第１突起部の上端よりも下側となるように傾斜した下傾斜部を有する。本構成によれば、上記第１突起部が上記下傾斜部よりも上記引き出し向き下流側に設けられている場合に、簡単な構成で上昇案内部を実現することができる。
【００１２】
(4)  上記第１突起部は、上記下傾斜部よりも上記引き出し向き下流側に設けられている。本構成は、上記（３）の構成で上昇案内部を実現するための好適な構成である。
【００１３】
(5)  上記下傾斜部の上記引き出し向きの下流側は、上記第２突起部と当接することで弾性変形する。本構成によれば、下傾斜部の幅を、第２突起部よりも小さく構成した場合であっても、第２突起部を上昇案内部に沿って摺動させることができる。
【００１４】
(6)  上記下傾斜部は、上記引き出し向きの下流側端部に、上記引き出し向きの下流側が上流側よりも上側となるように傾斜する上傾斜部を有する。
【００１５】
本構成によれば、第２突起部が下傾斜部よりも引き出し向きの下流側に位置する状態で、第２受け部材が第１受け部材に対して押し入れられる場合、第２突起部の摺動は上傾斜部に阻まれる。そのため、上傾斜部が弾性変形しない限り、第２突起部は第１案内部に沿って摺動されず、第２受け部材は第１受け部材に押し入れられない。以上より、本構成によれば、第２受け部材が第１受け部材に対して意図せず動いてしまうことが防止可能である。
【００１６】
(7)  上記第１案内部は、上記第２突起部が挿入可能な幅を有する溝形状であり、上記引き出し向きの下流側端及び上流側端に、当該下流側端及び上流側端以外の部分よりも幅が狭い幅狭部を有する。
【００１７】
本構成によれば、第２受け部材が第１受け部材に対して引き出された状態、及び、第２受け部材が第１受け部材に対して押し入れられた状態の双方において、第２受け部材を第１受け部材に対して確実に位置決めすることができる。
【００１８】
(8)  上記当接部は、上記第１突起部の上記引き出し向き下流側にて当該第１突起部と当接する第１面と、上記第１突起部の上下方向のうち少なくとも一方の向きから当接する第２面と、を有する。本構成によれば、第２受け部材を第１受け部材に対して引き出し向きと上下方向とで位置決めすることができる。
【００１９】
(9)  上記第１突起部は、円柱形状であり、上記第２案内部と当接される被案内面が円柱の周面である。本構成によれば、第１突起部を第２案内部に沿って円滑に摺動させることができる。
【００２０】
(10)  上記第１突起部は、上記引き出し向きの下流側の面が平面であり、上記第２案内部と当接される被案内面が曲面である。
【００２１】
本構成によれば、第１突起部の上側及び下側が曲面であるため、第１突起部を第２案内部に沿って円滑に摺動させることができる。また、本構成によれば、第１突起部の引き出し向きの下流側が平面であるため、第１突起部の引き出し向きの下流側が曲面である場合よりも、第１突起部を引き出し向きの下流側に設けることができる。その結果、第２受け部材の第１受け部材に対する引き出し量を多くすることができる。
【００２２】
(11)  上記第２突起部は、円柱形状であり、上記第１案内部と当接される被案内面が円柱の周面である。本構成によれば、第２突起部を第１案内部に沿って円滑に摺動させることができる。
【００２３】
(12)  上記第２受け部材は、上記引き出し向きと直交する幅方向の両端縁に設けられた２つの上記第２突起部と、上記両端縁に設けられた２つの上記第２案内部と、を有する。上記第１受け部材は、２つの上記第２案内部に対応した２つの上記第１突起部と、２つの上記第２突起部に対応した２つの上記第１案内部と、を有する。本構成によれば、第２受け部材を幅方向において安定して配置することができる。
【００２４】
(13)  上記第２受け部材は、上記幅方向における２つの上記第２突起部及び上記第２案内部よりも内側に、上記第１受け部材に押し入れられた状態で当該第１受け部材と係合する係合部を有する。本構成によれば、第２受け部材が第１受け部材に押し入れられた際において、第２受け部材の第１受け部材に対する位置決めをより確実に行うことができる。
【００２５】
(14)  上記第１案内部は、上記第２突起部が摺動可能な溝形状であり、上記第２突起部は、上記第１案内部に嵌りこんでいてもよい。
【００２６】
(15)  上記第２案内部は、上記第１突起部が摺動可能な溝形状であり、上記第１突起部は、上記第２案内部に嵌りこんでいてもよい。
【００２７】
(16)  上記第１受け部材は、シートを支持する第１支持部と、当該第１支持部に交差する方向に延びる第１壁部と、を有し、上記第１案内部と上記第１突起部とは、上記第１壁部に設けられ、上記第１突起部は、上記第１案内部よりも上記引き出し向き下流側に設けられていてもよい。
【００２８】
(17)  上記第２受け部材は、シートを支持する第２支持部と、当該第２支持部に交差する方向に延びる第２壁部と、を有し、上記第２案内部と上記第２突起部とは、上記第２壁部に設けられ、上記第２突起部は、上記第２案内部よりも上記引き出し向き上流側に設けられていてもよい。
【００２９】
(18)  上記第２受け部材は、上記引き出し向きの下流側端部に、当該第２受け部材に対して起立する起立姿勢と当該第２受け部材に対して倒伏する倒伏姿勢とに回動する起立部材を有する。上記起立部材は、上記倒伏姿勢において第１位置と当該第１位置よりも上記引き出し向き下流側の第２位置とに移動可能であり、上記第２位置において回動可能である。本構成によれば、起立姿勢の起立部材がシートを支持する面の引き出し向きに沿った長さを、より長くすることができる。
【００３０】
(19)  上記起立部材は、上記第２位置において、その重心が当該起立部材の回動軸よりも上記引き出し向きの下流側に位置する。本構成によれば、起立部材を第１位置から第２位置に移動させるだけで、起立部材を倒伏姿勢から起立姿勢に姿勢変化させることができる。
(20)  上記起立部材は、引き出し向き下流側端部に、ユーザに把持される把持部を有していてもよい。
【発明の効果】
【００３１】
本発明によれば、第１受け部材に対して引き出し及び押し入れ可能な第２受け部材を、第１受け部材から引き出した際に引き出し向きの下流側が持ち上げられた構成としつつ、当該第２受け部材を、第１受け部材に押し入れた際に第１受け部材に対して正確に位置決めすることができる。
【図面の簡単な説明】
【００３２】
【図１】図１は、複合機１０の外観斜視図である。
【図２】図２は、排紙トレイ２１及び給紙トレイ２０の外観斜視図であり、（Ａ）には第２受け部材８２が第１受け部材８１に対して引き出された状態が示されており、（Ｂ）には第２受け部材８２が第１受け部材８１に対して押し入れられた状態が示されている。
【図３】図３は、排紙トレイ２１の分解斜視図である。
【図４】図４は、第２受け部材８２が第１受け部材８１に対して押し入れられた状態の排紙トレイ２１の底面図である。
【図５】図５は、第２受け部材８２が第１受け部材８１に対して引き出された状態の排紙トレイ２１の底面図である。
【図６】図６（Ａ）は、図４のＶＩＡ−ＶＩＡ断面図であり、図６（Ｂ）は、図５のＶＩＢ−ＶＩＢ断面図である。
【図７】図７（Ａ）は、第１案内部８４の左側面図であり、図７（Ｂ）は、第２案内部８６の左側面図であり、図７（Ｃ）は、変形例における第１案内部８４の左側面図である。
【図８】図８は、起立部材５１が起立姿勢の状態の排紙トレイ２１及び給紙トレイ２０の外観斜視図である。
【図９】図９は、排紙トレイ２１の外観斜視図であり、（Ａ）には起立部材５１が第１位置である状態が示されており、（Ｂ）には起立部材５１が第２位置且つ倒伏姿勢である状態が示されており、（Ｃ）には起立部材５１が第２位置且つ起立姿勢である状態が示されている。
【図１０】図１０は、排紙トレイ２１の起立部材５１の軸部５４の位置における縦断面図であり、（Ａ）には起立部材５１が第１位置である状態が示されており、（Ｂ）には起立部材５１が第２位置且つ倒伏姿勢である状態が示されており、（Ｃ）には起立部材５１が第２位置且つ起立姿勢である状態が示されている。
【図１１】図１１は、プリンタ部１２の内部構造を模式的に示す縦断面図である。
【発明を実施するための形態】
【００３３】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００３４】
［複合機１０の全体構成］
図１に示されるように、複合機１０（本発明の装置の一例）は、概ね直方体に形成されている。複合機１０は、その上部に、記録用紙などの原稿に記録された画像をイメージセンサによって読み取って画像データを取得するスキャナ部１１を備えている。また、複合機１０は、その下部に、上記画像データなどに基づいて、記録用紙１５（本発明のシートの一例、図１１参照）に画像を記録するプリンタ部１２を備えている。
【００３５】
スキャナ部１１は、所謂フラットベッドスキャナとして構成されているが、ここでは、スキャナ部１１の内部構成の詳細な説明は省略される。プリンタ部１２は、概ね直方体に形成されており、正面に開口１３が形成されたプリンタ筐体１４を有している。
【００３６】
図１１に示されるように、プリンタ部１２におけるプリンタ筐体１４の内部には、開口１３から前後方向８に挿抜可能であって内部に記録用紙１５が収容される給紙トレイ２０と、給紙トレイ２０の上側に設けられた排紙トレイ２１（本発明のシート受け装置の一例）と、給紙トレイ２０に収容された記録用紙１５を搬送路２３に沿って搬送させる搬送ローラ対６３及び排出ローラ対６６と、スキャナ部１１によって原稿から読み取られた画像データなどに基づいて、搬送路２３を搬送される記録用紙１５に画像を記録する記録部２４などが配設されている。
【００３７】
画像が記録された記録用紙１５は、排紙トレイ２１に排出され、排紙トレイ２１に載置される。ここで、排紙トレイ２１は、給紙トレイ２０の上側に給紙トレイ２０と重ねられて設けられており、給紙トレイ２０と一体に開口１３に挿抜される。給紙トレイ２０が開口１３に挿入されている状態において、排紙トレイ２１は、開口１３の底面を構成している。なお、排紙トレイ２１については、後に詳細に説明される。
【００３８】
［給紙トレイ２０］
図２に示されるように、給紙トレイ２０は、底板７４と、底板７４の左右端から上向きに立設された一対の側板７５と、底板７４の後端から上向きに立設された凸部７６とを備えている。底板７４には、記録用紙１５が載置される。底板７４に載置された記録用紙１５は、給紙ローラ２５（図１１参照）によって搬送路２３へ給送される。
【００３９】
［搬送路２３］
図１１に示されるように、搬送路２３は、給紙トレイ２０の後端部を基点として、下方から上方に延びつつＵターンしてから、前向きに延びて排紙トレイ２１に至る通路である。搬送路２３は、所定間隔を隔てて互いに対向する第１ガイド部材３１及び第２ガイド部材３２によって構成される空間である。記録用紙１５は、給紙トレイ２０から搬送路２３に給送され、搬送路２３を、図１１に破線の矢印で示される向きである搬送向き１６に搬送される。
【００４０】
［搬送ローラ対６３及び排出ローラ対６６］
図１１に示されるように、搬送路２３における記録部２４よりも搬送向き１６の上流側には、搬送ローラ６１及びピンチローラ６２よりなる搬送ローラ対６３が設けられている。ピンチローラ６２は、ばねなどの弾性部材（不図示）によって搬送ローラ６１のローラ面に圧接されている。搬送路２３における記録部２４よりも搬送向き１６の下流側には、排出ローラ６４及び拍車６５よりなる排出ローラ対６６が設けられている。拍車６５は、ばねなどの弾性部材（不図示）によって排出ローラ６４のローラ面に圧接されている。搬送ローラ６１及び排出ローラ６４は、搬送用モータ（不図示）から駆動力が伝達されることによって回転され、ピンチローラ６２及び拍車６５との間に記録用紙１５を挟持しつつ搬送向き１６へ搬送する。
【００４１】
［記録部２４］
図１１に示されるように、記録部２４は、搬送路２３の上側に配置されている。記録部２４は、搬送路２３に対向可能な位置に設けられた記録ヘッド３７と、記録ヘッド３７を搭載したキャリッジ３８とを備えている。記録ヘッド３７には、インクカートリッジ（不図示）から供給されたインクを搬送路２３に向けて吐出するための複数のノズル３６が形成されている。キャリッジ３８は、左右方向９に往復移動可能に構成されている。キャリッジ３８が左右方向９へ往復移動されながら、搬送路２３に沿って搬送される記録用紙１５に向かってノズル３６からインク滴が吐出される。これにより、記録用紙１５に画像が記録される。
【００４２】
なお、本実施形態において、記録部２４が記録用紙１５に画像を記録する方式は、インクジェット記録方式であるが、記録部２４が記録用紙１５に画像を記録する方式はインクジェット記録方式に限らず、例えば電子写真方式などであってもよい。
【００４３】
［排紙トレイ２１］
図２に示されるように、排紙トレイ２１は、第１受け部材８１と第２受け部材８２とを備えている。第１受け部材８１は、複合機１０から排出された記録用紙１５を支持する。第２受け部材８２は、第１受け部材８１に対して記録用紙１５の排出向きに沿って、つまり前後方向８に沿って引き出し及び押し入れ可能である。第２受け部材８２が第１受け部材８１から引き出された状態が、図２（Ａ）に示されている。また、第２受け部材８２が第１受け部材８１に押し入れられた状態が、図２（Ｂ）に示されている。つまり、本実施形態において、第２受け部材８２の第１受け部材８１に対する引き出し向きは、後方から前方への向き（前向き）であり、第２受け部材８２の第１受け部材８１に対する押し入れ向きは、前方から後方への向き（後向き）である。ハガキなどの小サイズの記録用紙１５に記録が行われる場合には、第２受け部材８２は第１受け部材８１に対して押し入れられた状態で、第１受け部材８１のみで記録用紙１５を支持する。Ａ４などのサイズの記録用紙１５に記録が行われる場合には、ユーザによって第２受け部材８２は第１受け部材８１から引き出された状態で、第１受け部材８１と第２受け部材８２とで記録用紙１５を支持する。なお、第２受け部材８２が押し入れられた状態では、第１受け部材８１の前端と第２受け部材８２の前端とが同一面を形成している。
【００４４】
［第１受け部材８１］
図２及び図３に示されるように、第１受け部材８１は、厚さ方向が上下方向７である板状の部材である第１支持部８７と、第１支持部８７の前端における左右方向９の中央部以外から下向きに延びる一対の前板８８と、第１支持部８７の左右両端から下向きに延びる一対の側板８９と、第１支持部８１の下面から下向きに延びる一対の第１壁部９０とを備えている。なお、一対の第１壁部９０は、第１支持部８７に交差する方向であるならば、第１支持部８１の下面から下向き以外、例えば斜め下向きに延びていてもよい。
【００４５】
第１支持部８７は、開口１３の底面を構成している。第１支持部８７の上面には、複合機１０から排出された記録用紙１５が支持される。一対の第１壁部９０は、左右方向９における右側の前板８８の左端及び左側の前板８８の右端から後向きに延設されている。
【００４６】
一対の第１壁部９０には、２つの第１突起部８３と２つの第１案内部８４とが設けられている。第１突起部８３が２つ設けられている理由は、後述する第２案内部８６が２つ設けられているのに対応させるためである。また、第１案内部８４が２つ設けられている理由は、後述する第２突起部８５が２つ設けられているのに対応させるためである。
【００４７】
図７（Ａ）に示されるように、第１突起部８３は、一対の第１壁部９０の前端部、つまり引き出し向きの下流側に設けられている。第１案内部８４は、一対の第１壁部９０における第１突起部８３よりも後側、つまり引き出し向きの上流側に、前後方向８に沿って延設されている。なお、第１突起部８３、第１案内部８４、第２突起部８５、及び第２案内部８６については、以下で詳細に説明される。
【００４８】
［第１突起部８３］
図３及び図７（Ａ）に示されているように、２つの第１突起部８３のうちの一方は、右側の第１壁部９０から左側に突出されている。また、図３では隠れて見えないが、２つの第１突起部８３のうちの他方は、左側の第１壁部９０から右側に突出されている。第１突起部８３は、円柱形状である。
【００４９】
図６に示されるように、第１突起部８３は、第２受け部材８２に設けられた後述する溝形状の第２案内部８６に嵌りこんでいる。このとき、第１突起部８３の円柱の周面が、第２案内部８６と当接される。そして、第２受け部材８２が第１受け部材８１に対して前後方向８に移動するとき、第２受け部材８２の第２案内部８６は、第１突起部８３の円柱の周面と当接しながら摺動する。つまり、第１突起部８３の円柱の周面は、第２案内部８６に対する被案内面である。
【００５０】
［第１案内部８４］
図３及び図７（Ａ）に示されるように、２つの第１案内部８４のうちの一方は、右側の第１壁部９０の左側面に形成されている。また、図３では隠れて見えないが、２つの第１案内部８４のうちの他方は、左側の第１壁部９０の右側面に形成されている。
【００５１】
第１案内部８４には、後述する第２突起部８５が挿入される。そのため、第１案内部８４は、第２突起部８５が挿入可能なように、第２突起部８５の上下方向７の幅よりも若干大きい幅を有する溝形状である。これにより、第１案内部８４に挿入された第２突起部８５は、第１案内部８４に沿って摺動可能となる。つまり、第１案内部８４は、第２突起部８５を案内する。なお、本実施形態では、第１案内部８４の溝形状は、第１壁部９０に形成されたリブ９１によって構成されているが、このような構成に限らず、第１案内部８４は、例えば第１壁部９０を凹ませることによって構成されていてもよい。
【００５２】
図７（Ａ）に示されるように、第１壁部９０に形成されたリブ９１のうち、第１案内部８４の後端部の上側を構成するリブ９１Ａは、後方斜め下に向けて傾斜している。また、第１壁部９０に形成されたリブ９１のうち、第１案内部８４の前端部の上側を構成するリブ９１Ｂと下側を構成するリブ９１Ｃとは、ともに前方斜め下に向けて傾斜している。以上より、案内部８４の前端部及び後端部における上下方向７の幅は、案内部８４の前後方向８の中央部の上下方向７の幅よりも狭くなっている。つまり、第１案内部８４は、引き出し向きの下流側端（上記前端部）及び上流側端（上記後端部）に、当該下流側端及び上流側端以外の部分（上記中央部）よりも幅が狭い幅狭部９２を有する。
【００５３】
図７（Ａ）に示されるように、第１案内部８４は、以下に詳述する上昇案内部９３を備えている。上昇案内部９３は、図２（Ａ）及び図６（Ｂ）に示されるように、第２受け部材８２が第１受け部材８１から引き出されたときに、第２受け部材８２の前側が後側よりも上側となるように、第２突起部８５を引き出し向き、つまり前向きに案内するものである。なお、本実施形態では、上昇案内部９３は第１案内部８４に設けられているが、上昇案内部９３は第２案内部８４に設けられていてもよいし、第１案内部８４及び第２案内部８５の双方に設けられていてもよい。
【００５４】
図７（Ａ）に示されるように、上昇案内部９３は、上述したリブ９１Ｂ、９１Ｃと、リブ９１Ｂよりも前側にリブ９１Ｂの前端と連続して設けられており、リブ９１Ｂの前端から前方斜め上に傾斜して延びたリブ９１Ｄとを備えている。さらに、上昇案内部９３は、リブ９１Ｄとは離間しており、リブ９１Ｄよりも前側の位置に、リブ９１Ｅを備えている。リブ９１Ｂ、９１Ｃ、９１Ｄは、本発明の下傾斜部の一例である。また、リブ９１Ｄは、リブ９１Ｂの前端部（引き出し向きの下流側端部）に設けられており、本発明の上傾斜部の一例である。
【００５５】
上述したように、リブ９１Ｂは、前方斜め下に向けて傾斜している。つまり、リブ９１Ｂは、第１案内部８４における引き出し向きの下流側（前側）が上流側（後側）よりも下側に位置するように延びている。
【００５６】
また、リブ９１Ｂは、リブ９１Ｂの第１壁部９０に対する接続を補強する支え部９８よりも前側において、第１壁部９０から離間されている。これにより、リブ９１Ｂの支え部９８よりも前側（引き出し向きの下流側）は、矢印９９の向きに弾性変形可能である。ここで、リブ９１Ｂの前端部とリブ９１Ｃとの間隔は、後述する第２突起部８５よりも若干狭い。よって、第２突起部８５がリブ９１Ｂとリブ９１Ｃとの間に入りこむと、リブ９１Ｂは矢印９９の向きに弾性変形する。また、第２突起部８５がリブ９１Ｂから離間すると、弾性変形していたリブ９１Ｂは、矢印９９と逆向きに弾性変形して、図７（Ａ）に示された状態に戻る。
【００５７】
リブ９１Ｄは、リブ９１Ｂと同様に、第１壁部９０から離間されており、第２突起部８５が当接されることによって、矢印９９の向きに弾性変形する。また、リブ９１Ｄは、リブ９１Ｄに第２突起部８５が当接していない場合であっても、リブ９１Ｂが矢印９９の向きに弾性変形することによっても弾性変形する。なお、リブ９１Ｄとリブ９１Ｃとの間隔は、第２突起部８５の大きさよりも若干広い。そのため、第２突起部８５がリブ９１Ｂの前端を越えてリブ９１Ｄの位置まで第２受け部材が引き出されると、リブ９１Ｂの弾性変形は解消される。従って、リブ９１Ｂの先端を第２突起部が越えるときには、ユーザにクリック感が発生する。
【００５８】
また、上述したように、第１案内部８４は、第１突起部８３よりも後側に設けられている。つまり、第１突起８３は、第１案内部８４のリブ９１Ｂよりも前側、つまり引き出し向き下流側に設けられている。また、リブ９１Ｄ及びその前側の上下方向７の位置９６は、第１突起部８３の上端の高さ９７よりも下側である。
【００５９】
以上より、第２受け部材８２が第１受け部材８１に対して引き出された状態（図２（Ａ）参照）のとき、図６（Ｂ）に示されるように、第２受け部材８２に設けられた第２突起部８５は、リブ９１Ｄ、及びリブ９１Ｄよりも前側にリブ９１Ｄの上端と同じ高さで前後方向８に延びたリブ９１Ｅと当接する。一方、第１受け部材８１に設けられた第１突起部８３は、第２突起部８５よりも高位置で後述する第２案内部８６を区画する上側リブ４５と当接する。これにより、第１受け部材８１から引き出された第２受け部材８２は、前方斜め上向きに傾斜した状態となる。
【００６０】
［第２受け部材８２］
図２（Ａ）及び図３に示されるように、第２受け部材８２は、厚さ方向が上下方向７である板状の部材である第２支持部４０と、第２支持部４０の左右両端から下向きに延びる一対の第２壁部４１とを備えている。なお、一対の第２壁部４１は、第２支持部４０に交差する方向であるならば、第２支持部４０から下向き以外、例えば斜め下向きに延びていてもよい。
【００６１】
上述したように、第２受け部材８２は、第１受け部材８１に対して前後方向８に沿って引き出し及び押し入れ可能である。第１受け部材８１から引き出された状態（図２（Ａ）参照）で、第２支持部４０の上面には、複合機１０から排出された記録用紙１５が第１支持部８７とともに支持される。詳細には、当該記録用紙１５の後側が第１支持部８７によって支持され、当該記録用紙１５の前側が第２支持部４０によって支持される。
【００６２】
一対の第２壁部４１には、２つの第１突起部８３の各々と対向する位置に１つずつの第２案内部８６が設けられている。また、一対の第２壁部４１には、２つの第１案内部８４の各々と対向する位置に１つずつの第２突起部８５が設けられている。つまり、第２受け部材８１は、左右方向９の両端縁に設けられた２つの第２突起部８５と、上記両端縁に設けられた２つの第２案内部８６とを備えている。
【００６３】
図７（Ｂ）に示されるように、第２突起部８５は、一対の第２壁部４１の後端部、つまり引き出し向きの上流側に設けられている。第２案内部８６は、一対の第２壁部４１における第２突起部８５よりも前側、つまり引き出し向きの下流側に、前後方向８に沿って延設されている。つまり、第２突起部８５は、第２案内部８６よりも後側、つまり引き出し向きの下流側に設けられている。
【００６４】
また、図４及び図５に示されるように、第２受け部材８２の第２支持部４０の後端部には、第１受け部材８１の第１支持部８７（詳細には第１支持部８７の後端部に設けられた被係合部１０１）と係合される係合部４２が設けられている。係合部４２は、左右方向９において、第２壁部４１に設けられた２つの第２突起部８５及び２つの第２案内部８６よりも内側であって、本実施形態においては、左右方向９における第２支持部４０の中央に設けられている。係合部４２は、基端部４２Ａを中心として先端部４２Ｂが矢印４３の方向に弾性変形する。
【００６５】
これにより、第２受け部材８２が第１受け部材８１に押し入れられるときに、係合部４２は、弾性変形することによって被係合部１０１の先端部１０２を乗り越え、被係合部１０１と係合する。つまり、係合部４２は、第２受け部材８２が第１受け部材８１に押し入れられた状態で第１受け部材８１の被係合部１０１と係合する。なお、第２受け部材８２が第１受け部材８１から引き出されるとき、上記とは逆に、係合部４２は、弾性変形することによって被係合部１０１の先端部１０２を乗り越え、被係合部１０１から離間する。
【００６６】
［第２突起部８５］
図３及び図７（Ｂ）に示されているように、２つの第２突起部８５のうちの一方は、左側の第２壁部４１から左側に突出されている。また、図３では隠れて見えないが、２つの第２突起部８５のうちの他方は、右側の第２壁部４１から右側に突出されている。第２突起部８５は、円柱形状である。
【００６７】
図６に示されるように、第２突起部８５は、溝形状の第１案内部８４に嵌りこんでいる。このとき、第２突起部８５の円柱の周面が、第１案内部８４と当接される。そして、第２受け部材８２が第１受け部材８１に対して前後方向８に移動するとき、第２受け部材８２の第２突起部８５は、その円柱の周面と第１案内部８４のリブ９１とが当接した状態で摺動する。つまり、第２突起部８５の円柱の周面は、第１案内部８４に対する被案内面である。以上より、第２突起部８５は、第１案内部８４に案内される。
【００６８】
また、図６（Ａ）に示されるように、第２受け部材８２が第１受け部材８１に押し入れられた状態において、第２突起部８５は、第１突起部８３よりも後側、つまり引き出し向きに上流側に位置している。
【００６９】
［第２案内部８６］
図３及び図７（Ｂ）に示されるように、２つの第２案内部８６のうちの一方は、左側の第２壁部４１の左側面に形成されている。また、図３では隠れて見えないが、２つの第２案内部８６のうちの他方は、右側の第２壁部４１の右側面に形成されている。
【００７０】
第２案内部８６には、上述した第１突起部８３が挿入される。そのため、第２案内部８６は、第１突起部８３が挿入可能なように、第１突起部８３の上下方向７の幅よりも若干広い幅を有する溝形状である。これにより、第２案内部８６に挿入された第１突起部８３は、第１案内部８４に沿って摺動可能となる。つまり、第２案内部８６は、第１突起部８４を案内する。なお、本実施形態では、第２案内部８６の溝形状は、第２壁部４１に形成されたリブ４４によって構成されているが、このような構成に限らず、第２案内部８６は、例えば第２壁部４１を凹ませることによって構成されていてもよい。
【００７１】
図７（Ｂ）に示されるように、第２壁部４１に形成されたリブ４４は、第２案内部８６の上端を構成する上側リブ４５と、第２案内部８６の下端を構成する下側リブ４６と、第２案内部８６の前端、つまり引き出し向きの下流側を構成する前側リブ４７と、第２案内部８６の後端、つまり引き出し向きの上流側を構成する後側リブ４８とで構成される。そして、上側リブ４５の前端部４５Ａと、下側リブ４６の前端部４６Ａと、前側リブ４７とは、本発明の当接部の一例である。
【００７２】
図６（Ａ）に示されるように、第２受け部材８２が第１受け部材８１に対して押し入れられた状態において、前側リブ４７は、第１突起部８３の前側と当接する。これにより、第２受け部材８２は、第１受け部材８１に対して前後方向８に位置決めされる。つまり、前側リブ４７は、本発明の第１面の一例である。
【００７３】
また、第２受け部材８２が第１受け部材８１に対して押し入れられた状態において、上側リブ４５の前端部４５Ａは、第１突起部８３の上側と当接し、下側リブ４６の前端部４６Ａは、第１突起部８３の下側と当接する。これにより、第２受け部材８２は、第１受け部材８１に対して上下方向７に位置決めされる。以上より、上側リブ４５の前端部４５Ａ及び下側リブ４６の前端部４６Ａは、本発明の第２面の一例である。なお、本実施形態では、上側リブ４５の前端部４５Ａ及び下側リブ４６の前端部４６Ａの双方が第１突起部８３と当接するが、いずれか一方のみが第１突起部８３と当接してもよい。
【００７４】
［第２受け部材８２の動作］
排紙トレイ２１が以上のように構成されることによって、第２受け部材８２は、第１受け部材８１に対する引き出し及び押し入れの際、以下のように動作する。つまり、図６（Ａ）に示される状態から、第２受け部材８２が第１受け部材８１に対して引き出される際、第２受け部材８２の係合部４２は第１受け部材８１の被係合部１０１と係合した状態から、第２受け部材８２の前側の移動に伴って被係合部１０１の形状に従って係合部４２が弾性変形し、さらに第２受け部材８２が引き出されると、係合部４２が被係合部１０１から離間する。そして、さらに第２受け部材８２が前側に移動すると、第２突起部８５が第１案内部８４に沿って摺動するとともに、第２案内部８６が第１突起部８３と当接しつつ移動する。また、摺動する第２突起部８５は、リブ９１Ｂと当接してリブ９１Ｂを弾性変形させる。これにより、第２突起部８５は、リブ９１Ｂの位置を通り抜け、リブ９１Ｃ、９１Ｄ、９１Ｅと当接した状態となり、リブ９１Ｂは弾性変形から復元する。このとき、上述したように、第２受け部材８２は、前方斜め上に傾斜した状態で、第１受け部材８１から引き出されている（図６（Ｂ）参照）。リブ９１Ｄ及びリブ９１Ｅは、上下方向７においてリブ９１Ｂの前端側よりも上に配置されている。従って、第２突起部８５は、リブ９１Ｄと当接した状態からリブ９１Ｂ側に移動する際に、リブ９１Ｂを弾性変形させるだけの力が必要となる。そのため、排紙された記録用紙１５の重みや、ユーザが第２受け部材８２に接触する程度では、第２受け部材８２の先端の上昇状態が解除されることはない。
【００７５】
一方、図６（Ｂ）に示される状態から、第２受け部材８２が第１受け部材８１に対して押し入れられる際、第２突起部８５が第１案内部８４に沿って引き出し向きとは逆向きに摺動するとともに、第２案内部８６が第１突起部８３と当接しつつ引き出し向きとは逆向きに移動する。この移動に伴って、第２突起部８２はリブ９１Ｂの前端に接触し、リブ９１Ｂは弾性変形する。さらに第２受け部材８２が押し入れられると、第２突起部８５はリブ９１Ｂ及びリブ９１Ｃに摺接しながら後ろ側に移動し、リブ９１Ｂは弾性変形から復元する。そして、第２突起部８５が第１案内部８４に沿って摺動し、第２案内部８６が第１突起部８３と当接しながら移動する。また、完全に押し入れられる直前、第１受け部材８１に押し入れられる第２受け部材８２の係合部４２は、第１受け部材８１の被係合部１０１の形状に従って弾性変形する。さらに第２受け部材８２が押し入れられると、係合部４２が弾性変形から復元し、係合部４２が被係合部１０１と係合する（図４及び図５参照）。その結果、第２受け部材８２は、第１受け部材８１に押し入れられる（図６（Ａ）参照）。このとき、第１突起部８３は、第２案内部８６の上側リブ４５の前端部４５Ａと前側リブ４７とに当接し、第２受け部材８２の押し入れ状態での位置決めがされる。
【００７６】
［起立部材５１］
図２（Ａ）に示されるように、第２受け部材８２の第２支持部４０には、起立部材５１が取り付けられている。詳細には、第２支持部４０の前後方向８の中央部よりも前側には凹部５２（図８参照）が形成されており、起立部材５１は当該凹部５２に配置されている。つまり、起立部材５１は、第２受け部材８２の前端部（引き出し向きの下流側端部）に設けられている。
【００７７】
起立部材５１は、図２（Ａ）に示される倒伏姿勢と、図８に示される起立姿勢とに矢印５７（図１０（Ａ）参照）の方向に回動する。起立部材５１は、倒伏姿勢のとき、第２支持部４０に対して倒伏しており、凹部５２に収納されている。また、起立部材５１は、起立姿勢のとき、第２支持部４０に対して起立しており、後述する軸部５３（図１０参照）及びその周辺部のみが凹部５２に収納されており、軸部５３以外の部分は凹部５２の上方及び下方に位置している（図１０（Ｃ）参照）。
【００７８】
図１０に示されるように、起立部材５１の前端部における左右両端には、軸部５３が設けられている。軸部５３は、起立部材５１の長手方向（起立部材５１が倒伏姿勢のときの前後方向８）に沿って延びた長孔部５４と、長孔部５４よりも後側において長孔部５４と連続した円孔部５５とを備えている。円孔部５５の直径は、長孔部５４の幅（起立部材５１が倒伏姿勢のときの上下方向７の長さ）よりも長い。
【００７９】
図１０に示されるように、起立部材５１の凹部５２の側壁５８（図８参照）には、凸部５６が設けられている。凸部５６は、軸部５３と対向する位置に設けられており、軸部５３に向けて延びて長孔部５４及び円孔部５５に挿入される。凸部５６は、前後方向８に長く上下方向７に短い形状であり、前後方向８は平面で上下方向７は曲面で構成されている。また、凸部５６の上下方向７の長さは長孔部５４の上記幅よりも短く、凸部５６の前後方向８の長さは長孔部５４の上記幅よりも長い。また、凸部の前後方向８の長さは円孔部５５の直径よりも若干短い。
【００８０】
起立部材５１及び凹部５２が以上のような構成であることにより、起立部材５１は、以下に詳述するように回動する。図１０（Ａ）に示されるように、凸部５６が長孔部５４に挿入されて長孔部５４の前端と当接している状態では、起立部材５１は倒伏姿勢である。このときの起立部材５１の位置は、本発明の第１位置である。なお、このとき、凸部５６の前後方向８の長さが長孔部５４の上記幅よりも長いため、起立部材５１は回動できない。
【００８１】
また、起立部材５１の前端部には、起立部材５１を前側に引き出すためにユーザが把持する把持部５９（図９参照）が設けられている。図１０（Ａ）に示される状態から、複合機１０のユーザが把持部５９を把持して起立部材５１を前側に引っ張ると、図１０（Ｂ）に示される状態となる。このとき、凸部５６は長孔部５４を抜けて円孔部５５に挿入された状態となる。このときの起立部材５１の位置は、本発明の第２位置である。以上より、起立部材５１は、倒伏姿勢において、第１位置と当該第１位置よりも前側、つまり引き出し向き下流側の第２位置とに移動可能である。
【００８２】
図１０（Ｂ）に示される状態では、凸部５６の前後方向８の長さは円孔部５５の直径よりも若干短いため、起立部材５１は回動できる。つまり、起立部材５１は、第２位置において回動可能である。よって、図１０（Ｂ）に示される状態において、複合機１０のユーザが起立部材５１を回動させると、起立部材５１は倒伏姿勢から起立姿勢に姿勢変化する（図１０（Ｃ）参照）。
【００８３】
なお、複合機１０のユーザは、上記と逆の動作を行うことによって、起立部材５１を、起立姿勢（図１０（Ｃ）参照）から倒伏姿勢（図１０（Ｂ）参照）に姿勢変化させ、第２位置（図１０（Ｂ）参照）から第１位置（図１０（Ａ）参照）に移動させることができる。
【００８４】
以上の説明では、起立部材５１の倒伏姿勢から起立姿勢への姿勢変化は、複合機１０のユーザによって行われたが、当該姿勢変化が自動的に行われるように起立部材５１が構成されていてもよい。
【００８５】
例えば、起立部材５１が図１０（Ｂ）に示される第２位置の状態において、起立部材５１の重心が起立部材５１の回動軸である円孔部５５よりも前側、つまり引き出し向きの下流側に位置すればよい。具体的には、起立部材５１が図１０（Ｂ）に示される第２位置の状態において、起立部材５１の円孔部５５より前側の重量が、起立部材５１の円孔部５５より後側の重量よりも重ければよい。起立部材５１がこのように構成されることによって、図１０（Ｂ）に示される状態となった起立部材５１は重力によって自動的に回動して図１０（Ｃ）に示される状態となる。
【００８６】
［実施形態の効果］
本実施形態によれば、排紙トレイ２１は上昇案内部９３を備えているため、第１受け部材８１から引き出された第２受け部材８２を、前側が持ち上げられた状態とすることができる。また、本実施形態によれば、第１突起部８３が前側に設けられているため、第２受け部材８２が第１受け部材８１に押し入れられて、リブ４４（上側リブ４５の前端部４５Ａ、下側リブ４６の前端部４６Ａ、及び前側リブ４７）と第１突起部８３とが当接した際に、第１受け部材８１の前側において、第２受け部材８２を第１受け部材８１に対して正確に位置決めすることができる。以上より、本実施形態によれば、第１受け部材８１に対して引き出し及び押し入れ可能な第２受け部材８２を、第１受け部材８１から引き出した際に前側が持ち上げられた構成としつつ、当該第２受け部材８２を、第１受け部材８１に押し入れた際に第１受け部材８１に対して正確に位置決めすることができる。
【００８７】
また、本実施形態によれば、第２突起部８２は、第１受け部材８１に対して押し入れられた状態において、第１突起部８１よりも前側に設けられているため、第２受け部材８２が第１受け部材８１に押し入れられた際に、第１受け部材８１の前側及び後側の２箇所において、第２受け部材を第１受け部材に対して正確に位置決めすることができる。
【００８８】
また、本実施形態によれば、第１突起部８１がリブ９１Ｂよりも後側に設けられているため、簡単な構成であるリブ９１Ｂによって上昇案内部を実現することができる。
【００８９】
また、本実施形態によれば、リブ９１Ｂが弾性変形するため、リブ９１Ｂとリブ９１Ｃとの幅を、第２突起部８５よりも狭く構成した場合であっても、第２突起部８５を上昇案内部９３に沿って摺動させることができる。
【００９０】
また、本実施形態によれば、第２突起部８５がリブ９１Ｂよりも前側に位置する状態（図６（Ｂ）参照）で、第２受け部材８２が第１受け部材８１に対して押し入れられる場合、第２突起部８５の摺動はリブ９１Ｄに阻まれる。そのため、リブ９１Ｄが弾性変形しない限り、第２突起部８５は第１案内部８４に沿って摺動されず、第２受け部材８２は第１受け部材８１に押し入れられない。以上より、本実施形態によれば、第２受け部材８２が第１受け部材８１に対して意図せず動いてしまうことが防止可能である。
【００９１】
また、本実施形態によれば、幅狭部９２が設けられているため、第２受け部材８２が第１受け部材８１に対して引き出された状態及び押し入れられた状態の双方において、第２受け部材８２を第１受け部材８１に対して確実に位置決めすることができる。
【００９２】
また、本実施形態によれば、前側リブ４７、上側リブ４５、及び下側リブ４６によって、第２受け部材８２を第１受け部材８１に対して引き出し向き（前後方向８）と上下方向７とで位置決めすることができる。
【００９３】
また、本実施形態によれば、第１突起部８３が円柱形状であるため、第１突起部８３を第２案内部８６に沿って円滑に摺動させることができる。
【００９４】
また、本実施形態によれば、第２突起部８５が円柱形状であるため、第２突起部８５を第１案内部８４に沿って円滑に摺動させることができる。
【００９５】
また、本実施形態によれば、第１突起部８３、第１案内部８４、第２突起部８５、及び第２案内部８６がそれぞれ２つずつ設けられているため、第２受け部材８２を左右方向９において安定して配置することができる。
【００９６】
また、本実施形態によれば、第２受け部材８２は係合部４２を有するため、第２受け部材８２が第１受け部材８１に押し入れられた際に、第２受け部材８２の第１受け部材８１に対する位置決めをより確実に行うことができる。
【００９７】
また、本実施形態によれば、起立部材５１が第１位置と第２位置とに移動可能であるため、起立部材５１の回動軸を第２受け部材８２の先端近くとすることができる。その結果、起立姿勢の起立部材５１が記録用紙１５を支持する面の引き出し向きに沿った長さを、より長くすることができる。
【００９８】
また、本実施形態によれば、起立部材５１の重心が軸部５３よりも前側にあるため、起立部材５１を第１位置から第２位置に移動させるだけで、起立部材５１を倒伏姿勢から起立姿勢に姿勢変化させることができる。
【００９９】
［変形例］
上述の実施形態では、第１突起部８３は、円柱形状であったが、円柱以外の形状であってもよい。例えば、第１突起部８３は、図７（Ｃ）に示されるように、前側の面１０３が平面であり、第２案内部８６の上側リブ４５と当接される被案内面１０４と第２案内部８６の下側リブ４６と当接される被案内面１０５とが曲面であってもよい。
【０１００】
変形例によれば、第１突起部８３の上側及び下側が曲面であるため、第１突起部８３を第２案内部８６に沿って円滑に摺動させることができる。また、変形例によれば、第１突起部８３の前側が平面であるため、第１突起部８３の前側が曲面である場合よりも、第１突起部８３を前側に設けることができる。その結果、第２受け部材８２の第１受け部材８１に対する引き出し量を多くすることができる。
【０１０１】
また、上述の実施形態では、排紙トレイ２１は給紙トレイ２０に重ねられて設けられているが、排紙トレイ２１がプリンタ筐体１４に取り付けられていてもよい。また、上昇案内部９３が第１受け部材８１の前側に設けられていたが、後側に設けられていてもよい。すなわち、第２受け部材８２の引き出し動作の初期に第２受け部材８２の前側端が持ち上げられ、その状態を維持したまま第２受け部材８２が最後まで引き出されてもよい。
【０１０２】
また、上昇案内部９３には本発明の上傾斜部の一例としてのリブ９１Ｄが形成されていたが、第２受け部材８２の予期しない押し入れを防止できる構成であれば、引き出し向きの下流側が上流側よりも上側となるように傾斜する構成でなくてもよい。
【符号の説明】
【０１０３】
１０・・・複合機
２１・・・排紙トレイ
４５・・・上側リブ
４６・・・下側リブ
４７・・・前側リブ
８１・・・第１受け部材
８２・・・第２受け部材
８３・・・第１突起部
８４・・・第１案内部
８５・・・第２突起部
８６・・・第２案内部
９３・・・上昇案内部
【図１】
2014069945.tif 000003
【図２】
2014069945.tif 000004
【図３】
2014069945.tif 000005
【図４】
2014069945.tif 000006
【図５】
2014069945.tif 000007
【図６】
2014069945.tif 000008
【図７】
2014069945.tif 000009
【図８】
2014069945.tif 000010
【図９】
2014069945.tif 000011
【図１０】
2014069945.tif 000012
【図１１】
2014069945.tif 000013